(57)【要約】【課題】棒状飯の端面を包むフィルムの節約【解決手段】外フィルム１と内フィルム４との間にシート状食品３が収容され、外フィルム１に分断可能部11が設けられ、内フィルム４は外フィルム１に重なる２枚のフィルム片41、41からなる棒状飯の包装シートにおいて、両フィルム片41、41は粗面に加工されており、両フィルム片41、41は棒状飯５の端面にも被さる様に、外フィルム１からはみ出たはみ出し部41a、41aを有している。【選択図】図１
0003124926.tif 000002
【実用新案登録請求の範囲】
【請求項１】
外フィルム(１)と内フィルム(４)との間にシート状食品(３)が収容され、シート状食品(３)の外側にて外フィルム(１)と内フィルム(４)とが熱溶着され、外フィルム(１)の幅方向の略中央部に外フィルム(１)の長手方向に沿って分断可能部(11)が設けられ、内フィルム(４)は外フィルム(１)に重なる２枚のフィルム片(41)(41)からなる棒状飯の包装シートにおいて、両フィルム片(41)(41)はフィルムの素材の選択、フィルムの表面加工等により、棒状飯(６)が引っ付き難くなる様に形成され、両フィルム片(41)(41)は長方形であって折り目は存在せず、両フィルム片(41)(41)は棒状飯(６)の端面にも被さる様に、フィルム片(41)の全長に亘って外フィルム(１)からはみ出たはみ出し部(41a)を有し、フィルム片(41)(41)どうしは、外フィルム(１)の幅方向の中央部のみで重なっている棒状飯の包装シート。
【請求項２】
外フィルム(１)の分断可能部(11)は断続的な切込み条(14)であり、シート状食品(３)と外フィルム(１)との間に、該切込み条(14)に被さる中間フィルム(２)が介装され、該中間フィルム(２)は、切込み条(14)に沿って外フィルム(１)に熱溶着されている請求項１に記載の棒状飯の包装シート。
【請求項３】
両フィルム片(41)(41)と外フィルム(１)の幅長さは同じである請求項１又は２に記載の棒状飯の包装シート。
【請求項４】
フィルム片(41)(41)は、棒状飯(６)と接する面は粗面に加工されている請求項１乃至３の何れかに記載の棒状飯の包装シート。
【請求項５】
請求項１乃至４の何れかに記載の包装シートによって包装した包装棒状飯であって、内フィルム(４)上に、フィルム片(41)(41)の帯状重なり部と直交し、且つ両端が外フィルム(１)の幅方向にはみ出さない様に棒状飯(６)を載せ、フィルム片(41)(41)のはみ出し部(41a)(41a)によって棒状飯(６)の両端面を覆う共に、フィルム片(41)の残りの部分を内側へ折り返し、包装シート(５)を棒状飯(６)に巻き付けて、巻付け端をシール片(７)、熱溶着等により接合した包装棒状飯。
【考案の詳細な説明】
【技術分野】
【０００１】
本考案は、外フイルムと内フィルムとの間にシート状食品を収容した包装シート及び該包装シートにて包装した包装棒状飯に関するものである。
【背景技術】
【０００２】
出願人は以前に、棒状飯用の包装シート(特許文献１)を提案した。図８は該包装シートの斜視図、図９はその分解斜視図である。該包装シートは、外フィルム(１)と内フィルム(４)との間にシート状食品(３)を挟んでいる。
外フィルム(１)は幅方向の中央部に、長さ方向に分断できる分断可能部(11)を有している。
内フィルム(４)は２枚のフィルム片(41)(41)からなり、両フィルム片(41)(41)は、互いに幅長さの１／３程度を折り返し、折り目側どうしを外フィルム(１)の分断可能部(11)上で重ね、両フィルム片(41)(41)の外側部分を外フィルム(１)の外側へ大きくはみ出させている。
内フィルム(４)上に、フィルム片(41)(41)の帯状重なり部と直交し、且つ両端が外フイルム(１)からはみ出さない様に棒状飯(６)を載せ、フィルム片(41)(41)の上記はみ出し部(41a)(41a)で棒状飯(６)の両端面を覆い、包装シート(５)を棒状飯(６)に巻き付けて巻付け端をシール片、熱溶着等により剥離可能に接着して包装棒状飯を完成する。
【０００３】
【特許文献１】特開２００２−１０１８３２号公報
【考案の開示】
【考案が解決しようとする課題】
【０００４】
上記包装シートは、内フィルム(４)を構成する両フィルム片(41)(41)は、折返し部だけ幅広となり、シートの材料コストが高くなる。
又、包装シートは、ドラムに巻回した長尺フィルムを引き出しつつ自動機によって能率的に生産されるが、内フィルム(４)を構成する各フィルム片(41)(41)の幅長さと、外フィルム(１)の幅長さとが異なるため、幅長さの異なる２種類のフィルムを準備しなければならず、材料フィルムの保管や管理が煩雑となる。
又、フィルム片(41)用の長尺フィルムを引き出す途上で、１／３幅で折り畳む工程が必要となり、装置構成が複雑となる。
又、内フィルム(４)と外フィルム(１)の熱溶着は、２つ折りしたフィルム片(41)(41)と外フィルム(４)とを溶着せねばならず、２つ折りしたフィルム片(41)にズレが生じ易く、溶着が安定しない。
本考案は上記問題を解決できる包装シートを明らかにするものである。
【課題を解決するための手段】
【０００５】
本考案の包装シートは、外フィルム(１)と内フィルム(４)との間にシート状食品(３)が収容され、シート状食品(３)の外側にて外フィルム(１)と内フィルム(４)とが熱溶着され、外フィルム(１)の幅方向の略中央部に外フィルム(１)の長手方向に沿って分断可能部(11)が設けられ、内フィルム(４)は外フィルム(１)に重なる２枚のフィルム片(41)(41)からなる棒状飯の包装シートにおいて、両フィルム片(41)(41)はフィルムの素材の選択、フィルムの表面加工等により、棒状飯(６)が引っ付き難くなる様に形成され、両フィルム片(41)(41)は長方形であって折り目は存在せず、両フィルム片(41)(41)は棒状飯(６)の端面にも被さる様に、フィルム片(41)の全長に亘って外フィルム(１)からはみ出たはみ出し部(41a)を有し、フィルム片(41)(41)どうしは、外フィルム(１)の幅方向の中央部のみで重なっている。
【０００６】
本考案の包装棒状飯は、上記包装シートの内フィルム(４)上に、フィルム片(41)(41)の帯状重なり部と直交し、且つ両端が外フィルム(１)の幅方向にはみ出さない様に棒状飯(６)を載せ、フィルム片(41)(41)のはみ出し部(41a)(41a)で棒状飯(６)の両端面を覆うと共に、フィルム片(41)の残りの部分を内側へ折り返し、包装シート(５)を棒状飯(６)に巻き付けて巻付け端をシール片(７)、熱溶着等により接合している。
【考案の効果】
【０００７】
本考案の包装シートは、内フィルム(４)を構成する２枚のフィルム片(41)(41)に前記特許文献１の様な折り目を施す必要はないため、包装シート製造装置を簡素化できる。又、包装シート製造装置において、長尺材料フィルムをドラムから引き出しつつ、該材料フィルムを折る機構は不要であるから、機械的トラブルも少なくなる。
又、特許文献１の場合に較べて、フィルム片(41)の幅長さを短くして、材料フィルムを節約し、包装シートの製造コストを低減できる。
外フィルム(１)と内フィルム(４)の溶着部において、フィルムは２枚重なりであり、特許文献１の場合の様に３枚重なりに較べてフィルムのずれが生じ難く、又、安定した溶着が実現できる。
【０００８】
本考案の包装棒状飯は、両端面も内フィルム(４)のはみ出し部(41a)(41a)によって覆われており衛生的である。包装棒状飯の包装を解くには、外フィルム(１)の分断可能部(11)を分断し、包装シート(５)の棒状飯の一端部側を摘んで外側に引っ張る。外フィルム(１)は分断可能部(11)で分断されており、内フィルム(４)は最初から幅中央で分離しているため、シート状食品(３)を除く包装シート(５)の半分が引っ張り出される。
残りの包装シート(５)の外端を摘んで外側に引っ張ると、シート状食品(３)を残して包装シート(５)の残り半分が上記同様にしてスムーズ引っ張り出される。シート状食品(３)は直接に棒状飯(６)に被さる。
【０００９】
フィルム片(41)(41)のはみ出し部(41a)は、フィルム片の全長に亘らずとも棒状飯(６)の端部に余裕の有る状態に被さる程度の大きさ、例えば一辺５０mmの正方形であれば足
りると考えられる。しかし、この様に全体としては長方形ではない変形フィルム片は、長尺帯状のフィルムを引き出しながら機械的にカットして所望の形状とせねばならず、却ってコスト高となり、カットしたフィルム屑が包装シート自動製造装置に巻き込まれてトラブルの原因となる虞れがある。
【考案を実施するための最良の形態】
【００１０】
図１は本考案の包装シート(５)であって、横長さ(幅長さ)約２３０mm、縦長さ約１８０mmの長方形を呈している。図３に示す如く、外フィルム(１)の上に、帯状の中間フィルム(２)、シート状食品(３)、内フィルム(４)を順に載せて構成されている。
【００１１】
外フィルム(１)の縦長さは約１８０mm、横長さ(幅長さ)は約１２５mmである。
外フィルム(１)は幅方向の中央部に長手方向に沿って分断可能部(11)が設けられ、実施例の分断可能部(11)は断続的な切込み条(14)である。
【００１２】
中間フィルム(２)は、上記断続的な切込み条(12)から外気の侵入を防止するためのものであって帯状に形成され、長さは外フィルム(１)の縦長さと同じであり、幅は２０mm程度であり、長手方向に沿う一方の端縁が、外フィルム(１)に熱溶着されている。
【００１３】
シート状食品(３)は縦長さ約１５０mm、横長さ約１００mmで、外フィルム(１)よりも一回り小さい長方形である。シート状食品(３)は中心が、外フィルム(１)の中心にほぼ重なる様にして、外フィルム(１)と内フィルム(４)との間に収容されている。
実施例のシート状食品(３)はシート状海苔である。
【００１４】
内フィルム(４)は、２枚のフィルム片(41)(41)からなり、各フィルム片(41)は長方形であって、縦長さは外フィルム(１)の縦長さと同じであり、横長さは、実施例では外フィルム(１)の横長さと同じである。
２枚のフィルム片(41)(41)は、外フィルム(１)の横幅中央部にて、約２０mm幅で重なており、両フィルム片(41)(41)は、縦長さの全長に亘って外フィルム(１)から約５５mm幅で大きくはみ出している。
【００１５】
外フィルム(１)と内フィルム(４)を構成するフィルム片(41)(41)は、シート状食品(３)が位置ずれする余裕のない様に、シート状食品(３)を包囲して熱溶着(12)(13)される。但し、フィルム片(41)(41)どうしの重なり部には熱溶着されていない。
【００１６】
外フィルム(１)、内フィルム(４)及び中間フィルム(２)は、米飯、即ち、棒状飯(６)との付着性の悪いフィルム、例えばポリプロピレンで形成されている。
棒状飯(６)と直接に接する内フィルム(４)のフィルム片(41)(41)は、表面が粗面加工されて半透明である。フィルム片(41)(41)を粗面加工することにより、棒状飯(６)との付着性の悪さが一層高められる。
【００１７】
上記包装シート(５)によって包装される棒状飯(６)は断面略四角形を呈しており、長さ約１００mmで断面の一辺の長さは約３５mmである。
棒状飯(６)は断面略円形でもよいのは勿論である。
【００１８】
図１、図２の二点鎖線で示す如く、棒状飯(６)を包装シート(５)の内フィルム(４)上に、両フィルム片(41)(41)の重なり部と直交する様に載せる。このとき、棒状飯(６)の両端が、シート状食品(３)の幅方向両端からはみ出さない様にする。
フィルム片(41)(41)のはみ出し部(41a)(41a)が棒状飯(６)の両端面に被さる様にして内側に折り畳む。次いで、包装シート(５)を棒状飯(６)に巻き付け、図４に示す如く、包装シート(５)の巻き付け端をシール片(７)、又は、剥離可能に熱溶着して止める。シール片(７)を用いる場合、シール片(７)の端部はフイルムに接着せず浮かせておけば、簡単に指先で摘んで剥がすことができる。
【００１９】
包装棒状飯の包装を解くには、外フィルム(１)の分断可能部(11)を分断し、棒状飯(６)の一端側のフィルムを摘んで外側に引っ張る。外フィルム(１)は分断可能部(11)で分断されており、内フィルム(４)は最初から２枚のフィルム片(41)(41)に分離しているため、シート状食品(３)を除く包装シート(５)の半分が引っ張り出される。
棒状飯(６)と直接に接するフィルム片(41)は粗面加工されて、棒状飯(６)との付着性が悪いため、包装シート(５)の半分を引っ張り出す際に、棒状飯(６)との摩擦抵抗は小さく、棒状飯(６)に無理が掛かって棒状飯(６)が千切れてしまうことを防止できる。
残りの包装シート(５)の外端を摘んで外側に引っ張ると、シート状食品(３)を残して包装シート(５)の残り半分を前記同様にしてスムーズ引っ張り出すことができる。シート状食品(３)は直接に棒状飯(６)に被さる。
【００２０】
両フィルム片(41)(41)と外フィルム(１)の幅長さは同じであり、これらを形成するための長尺材料フィルムを巻回したドラムの幅長さを揃えることができ、材料フィルムの保管や管理に便利である。
【００２１】
図６、図７は、外フィルム(１)の分断可能部(11)の他の実施例を示しており、図６は、外フィルム(１)は長手方向に裂け易い方向性フィルムであり、端部中央に短く２つの切込み(15)(15)を平行に設けている。平行切込み(15)(15)間を摘んで引っ張ると、簡単に外フィルム(１)を２分できる。
【００２２】
図７の分断可能部(11)は、細帯テープを強力接着剤で接着した所謂カットテープ(16)であって、テープの一端を反対側に引っ張ると、外フィルム(１)を二分できる。図６、図７の分断可能部(11)を実施する場合、図３に示す断続的な切込み条(12)の場合の様な外気の侵入はないから、中間フィルム(２)を省略できる。
【００２３】
本考案は、上記実施例の構成に限定されることはなく、実用新案登録請求の範囲に記載の範囲内で種々の変形が可能である。
【図面の簡単な説明】
【００２４】
【図１】包装シートの斜視図である。
【図２】図１Ａ−Ａ線に沿う断面図である。
【図３】包装シートの分解斜視図である。
【図４】包装棒状飯の斜視図である。
【図５】包装を半分解いた棒状飯の斜視図である。
【図６】第２実施例の分断可能部を具えた外フィルムの斜視図である。
【図７】第３実施例の分断可能部を具えた外フィルムの斜視図である。
【図８】出願人が以前提案した包装シートの斜視図である。
【図９】同上の包装シートの斜視図である。
【符号の説明】
【００２５】
１  外フィルム
11  分断可能部
２  中間フィルム
３  シート状食品
４  内フィルム
41  フィルム片
41a  はみ出し部
５  包装シート
６  棒状飯
【図１】
0003124926.tif 000003
【図２】
0003124926.tif 000004
【図３】
0003124926.tif 000005
【図４】
0003124926.tif 000006
【図５】
0003124926.tif 000007
【図６】
0003124926.tif 000008
【図７】
0003124926.tif 000009
【図８】
0003124926.tif 000010
【図９】
0003124926.tif 000011